(57)【特許請求の範囲】
【請求項１】
（Ａ）脂肪酸石鹸０．５〜５重量％、（Ｂ）脂肪酸石鹸を含まない界面活性剤０．５〜５重量％、（Ｃ）金属イオン封鎖剤０．５〜６重量％、（Ｄ）水溶性溶剤０．５〜２０重量％、（Ｅ）シリコーン系消泡剤０．０２〜０．０７重量％、（Ｆ）イオン交換水を含有してなる洗浄液をエアゾール容器に８２〜９２容量％、噴射剤として２０℃における圧力が０．２３〜０．５０ＭＰａのＬＰＧを８〜１８容量％充填してなることを特徴とするアフタードローを抑えたエアゾール用発泡性洗剤組成物。
【請求項２】
網戸やエアコンフィルターなどの網面の洗浄に用いられた場合に、網面への泡の付着率が７０％以上である請求項１に記載のアフタードローを抑えたエアゾール用発泡性洗剤組成物。
【発明の詳細な説明】
【技術分野】
【０００１】
本発明は、網戸やエアコンフィルター、窓ガラス、換気扇、トイレ、浴槽、自動車等の洗浄をするにあたり、エアゾールの形態で使用される洗剤組成物であって、十分な洗浄力および発泡力を有し、さらにアフタードローを抑えたエアゾール用発泡性洗剤組成物に関する。
【背景技術】
【０００２】
従来、網戸の洗浄には、スポンジやタワシ等でこすり洗いする方法や、市販の洗浄剤を用いて洗浄する方法が行われている。しかし、スポンジ等でこすり洗いする方法では網面を傷めたり、たるみを生じる恐れがある。そのため、網戸用の洗浄剤としては、擦らなくても汚れが落ちる高い洗浄力を有する洗浄剤が必要であり、また、洗浄剤をエアゾール製剤として、網戸に吹き付ける場合には、泡が網面を通過しないように、特に発泡性が重要となる。
泡を噴射するエアゾールは、スプレー後、ボタンの噴口付近に泡がたまるアフタードローが多くなる傾向があり、とくにステムから噴口先端までの距離が長いほど泡が多くなり、この泡が垂れて容器に付着したり、手に付くという問題があった。
洗浄性、発泡性に優れるとともに刺激性がないエアゾール用発泡性洗剤組成物（特開平４−１３８００）の提案もあるが、アフタードローが多いなど不十分なものであった。
特定のシリコーンオイルと常温で液状の分岐炭化水素及び分岐エステル油から選ばれる１種または２種以上を配合したエアゾール組成物（特開平３−２９２３８６）の提案もあるが、これはオイル配合を特徴としているため、洗浄面に油性成分が残り、十分な洗浄力が得られない問題があった。
また我々は、ｐＨが８〜１１の弱アルカリ性の網戸用洗浄剤組成物（特開平１０−２６５８００号公報）を提示しているが、本発明は、泡の付着率の改善を目的としたものであり、泡の付着率は改善されたものの、アフタードローを改善したものではなかった。
【特許文献１】特開平４−１３８００号公報
【特許文献２】特開平３−２９２３８６号公報
【特許文献３】特開平１０−２６５８００号公報
【発明の開示】
【発明が解決しようとする課題】
【０００３】
本発明は、十分な洗浄力および発泡力を有するとともに、さらにアフタードローを抑えたエアゾール用発泡性洗剤組成物を提供することを目的とする。
【課題を解決するための手段】
【０００４】
上記課題を解決するため、本発明は以下の構成を採用する。
（１）（Ａ）脂肪酸石鹸０．５〜５重量％、（Ｂ）脂肪酸石鹸を含まない界面活性剤０．５〜５重量％、（Ｃ）金属イオン封鎖剤０．５〜６重量％、（Ｄ）水溶性溶剤０．５〜２０重量％、（Ｅ）シリコーン系消泡剤０．０２〜０．０７重量％、（Ｆ）イオン交換水を含有してなる洗浄液をエアゾール容器に８２〜９２容量％、噴射剤として２０℃における圧力が０．２３〜０．５０ＭＰａのＬＰＧを８〜１８容量％充填してなるアフタードローを抑えたエアゾール用発泡性洗剤組成物。
（２）網戸やエアコンフィルターなどの網面の洗浄に用いられた場合に、網面への泡の付着率が７０％以上である（１）に記載のアフタードローを抑えたエアゾール用発泡性洗剤組成物。
【発明の効果】
【０００５】
本発明のエアゾール用発泡性洗剤組成物は、洗浄力および発泡力が高く、さらにアフタードローを抑えているため、使用感がよいので、その実用性は極めて高い。
【発明を実施するための最良の形態】
【０００６】
本発明で用いられる成分（Ａ）の脂肪酸石鹸としては飽和または不飽和のいずれであってもよく、炭素数８〜２２、特に１０〜１８のものが好ましい。具体的には、ラウリン酸、ミリスチン酸、パルミチン酸、ステアリン酸、オレイン酸、ヤシ油脂肪酸、牛脂脂肪酸などのアルカリ金属塩、アンモニウム塩、アミン塩が挙げられる。このうち特にラウリン酸ナトリウム、ラウリン酸カリウム、ヤシ油脂肪酸ナトリウム、ヤシ油脂肪酸カリウムが好ましい。これらの脂肪酸石鹸は、１種または２種以上を組み合わせて用いることができ、洗浄液中に０．５〜５重量％、好ましくは１〜３重量％配合される。０．５重量％未満では、十分な洗浄力および泡性能が得られず、５重量％を超えると、泡の飛び散りが多くなり不都合を生じる。
【０００７】
成分（Ｂ）の界面活性剤は、通常液体洗浄剤に使用されるアニオン、ノニオン、両性界面活性剤のいずれであってもよく、アニオン界面活性剤としては、例えばアルキルベンゼンスルホン酸塩、直鎖アルキルベンゼンスルホン酸塩、アルキル硫酸塩、α―オレフィンスルホン酸塩、アルキルりん酸エステル塩、ポリオキシエチレンアルキルエーテル硫酸塩、ポリオキシエチレンアルキルフェニルエーテル硫酸塩、ポリオキシエチレンアルキルエーテルりん酸塩などが挙げられ、ノニオン界面活性剤としては、例えばポリオキシエチレンアルキルエーテル、ポリオキシエチレンアルキルフェニルエーテル、脂肪酸アルカノールアミド、アミンオキシドなどが挙げられ、両性界面活性剤としては、例えばアルキルカルボキシベタイン型、アルキルアミノカルボン酸型、アルキルキミダゾリン型などが挙げられる。これらの界面活性剤は１種または２種以上を組み合わせて用いることができ、洗浄液中に０．５〜５重量％、好ましくは１〜２重量％配合される。０．５重量％未満および５重量％超では、発泡性が悪くなる等の不都合を生じる。
【０００８】
成分（Ｃ）の金属イオン封鎖剤としては、クエン酸、リンゴ酸、コハク酸などの有機酸およびそれらの塩、エチレンジアミン四酢酸、ヒドロキシエチレンジアミン三酢酸、ニトリロ酢酸などのアミノカルボン酸およびそれらの塩、ポリアクリル酸ナトリウムなどのポリマーカルボキシレートが挙げられる。塩としては、ナトリウム、カリウムなどのアルカリ金属塩、アンモニウム塩、アミン塩が挙げられる。このうち特にクエン酸ナトリウムが好ましい。これらの金属イオン封鎖剤は１種または２種以上を組み合わせて用いることができ、洗浄液中に０．５〜６重量％、好ましくは２〜４重量％配合される。０．５重量％未満では十分な洗浄力が得られず、一方６重量％を超えると発泡性が悪くなるため不都合を生じる。
【０００９】
成分（Ｄ）の水溶性溶剤としては、アルコール、多価アルコールおよびその誘導体が挙げられ、具体的にはエタノール、イソプロピルアルコール、エチレングリコール、エチレングリコールモノエチルエーテル、エチレングリコールモノブチルエーテル、ジエチレングリコールモノエチルエーテル、ジエチレングリコールモノブチルエーテル、プロピレングリコール、プロピレングリコールモノエチルエーテル、プロピレングリコールモノブチルエーテル、ジプロピレングリコールモノエチルエーテル、ジプロピレングリコールモノブチルエーテルなどが挙げられる。このうち特にエタノール、イソプロピルアルコールが好ましい。これらの水溶性溶剤は１種または２種以上を組み合わせて用いることができ、洗浄液中に０．５〜２０重量％、好ましくは５〜１８重量％配合される。０．５重量％未満では十分な洗浄力および泡性能が得られず、２０重量％を超えると、泡の飛び散りが多くなり不都合を生じる。
【００１０】
成分（Ｅ）の消泡剤としては、洗浄液に均一に分散し、消泡効果を発揮するものならいずれであってもよく、シリコーン系消泡剤、脂肪酸エステル系消泡剤、高級アルコール系消泡剤、ポリエーテル系消泡剤などが挙げられる。このうちシリコーン系消泡剤が好ましい。これらの消泡剤は１種または２種以上を組み合わせて用いることができ、洗浄液中に０．０２〜０．２重量％配合される。０．０２重量％未満ではアフタードローが多くなり、０．２重量％を超えると、泡立ちが悪くなり不都合を生じる。
【００１１】
本発明に用いられる噴射剤としては、２０℃における圧力が０．２３〜０．５０ＭＰａのＬＰＧが８〜１８容量％、好ましくは０．２８〜０．４５ＭＰａのＬＰＧが１０〜１５容量％充填される。圧力０．２３ＭＰａ未満または８容量％未満では発泡性が悪くなったり、アフタードローが多くなるなどの不都合を生じ、圧力０．５０ＭＰａ超または１８容量％を超えると、泡の飛びちりが多くなり不都合を生じる。
【００１２】
また、本発明のエアゾール用発泡性洗剤組成物には、更に、ｐＨ調整剤、除菌剤、消臭剤、虫除け剤、香料等を適宜配合してもよい。
【００１３】
本発明に用いられる噴射ボタンとしては泡を形成するボタンであればいずれであってもよいが、ステムから噴口先端までの距離が５〜５０ｍｍであることが好ましい。５０ｍｍを超えるとボタンの噴口付近に泡がたまるアフタードローが多くなるなど不都合を生じる。
【００１４】
具体的実施例に基づいて、本発明のエアゾール用発泡性洗剤組成物をさらに詳細に説明する。
【実施例１】
【００１５】
表１〜３に示す組成の実施例および比較例を調製し、洗浄力試験、泡性能試験を行った。このときのＬＰＧの圧力は２０℃で０．３４ＭＰａ、配合量は１０容量％の一定とした。また、噴射ボタンはプリシジョンバルブ株式会社製ミニアクユーゾルＳＰＣアクア孔径０．６４ｍｍを使用し、ステムから噴口までの距離は約４５ｍｍとした。
【００１６】
【表１】
0005334384.tif 000002
【００１７】
【表２】
0005334384.tif 000003
【００１８】
【表３】
0005334384.tif 000004
【実施例２】
【００１９】
次に、洗浄液は同じものを用い、ＬＰＧの圧力と配合量を変えて試験を行った。すなわち、
表４に示す組成の実施例および比較例を調製し、下記の洗浄力試験、泡性能試験を行った。
【００２０】
【表４】
0005334384.tif 000005
（１）洗浄力試験
屋外に長期間放置した網戸の網面に実施例および比較例のエアゾール用発泡性洗剤組成物をスプレーし、５分間放置後、水洗して、網面の洗浄状態を観察し、以下の基準で評価した。
○：汚れが完全に落ちた
△：汚れが一部残った
×：汚れがほとんど落ちていなかった
（２）泡性能
網戸の網面に実施例および比較例のエアゾール用発泡性洗剤組成物をスプレーしたときの、発泡性、泡の飛び散り、そしてアフタードローを観察し、以下の基準で評価した。また、泡の付着率については、重量を測定できる網戸（３０×３０ｃｍ）の網面に実施例および比較例のエアゾール用発泡性洗剤組成物をスプレーし、スプレー前後の網の重量変化より付着率を求めた。
＜発泡性＞
○：発泡性がよい
△：発泡はするが、十分ではない
×：ほとんど発泡しない
＜泡の飛び散り、アフタードロー＞
○：ほとんどない
△：少しある
×：多い
【００２１】
試験の結果、本実施例のエアゾール用発泡性洗剤組成物（実施例（１）〜（７））はいずれも網戸の洗浄に際して、擦ることなく汚れを落とし、しかも発泡性がよく、さらにアフタードローがほとんどないという特長を有していた。
これに対し、比較例に示す如く、成分（Ａ）を配合しない場合（比較例（１））、成分（Ｃ）の配合量が所定量に満たない場合（比較例（５））、成分（Ｄ）を配合しない場合（比較例（７）、（９））は洗浄力が不十分であった。
また、成分（Ｅ）を配合していないか所定量に満たない場合（比較例（１）、（２）、（３）、（６）、（７）、（９））、所定の圧力を下回るＬＰＧを使用した場合（比較例（１０））やＬＰＧの配合量が所定量を下回る場合（比較例（１１））はアフタードローが多かった。
成分（Ａ）の配合量が所定量を超える場合（比較例（２））、成分（Ｃ）の配合量が所定量を超える場合（比較例（６））、成分（Ｄ）の配合量が所定量を超える場合（比較例（８））、ＬＰＧの配合量が所定量を超える場合（比較例（１２））や所定の圧力を超えるＬＰＧを使用した場合（比較例（１３））は泡の飛び散りが多かった。
成分（Ａ）を配合しない場合（比較例（１）、（９））、成分（Ｂ）を配合しない場合（比較例（３））、成分（Ｂ）の配合量が所定量を超える場合（比較例（４）、（９））、成分（Ｃ）の配合量が所定量を超える場合（比較例（６））、成分（Ｄ）を配合しない場合（比較例（７）、（９））、所定の圧力を下回るＬＰＧを使用した場合（比較例（１０））やＬＰＧの配合量が所定量を下回る場合（比較例（１１））は発泡性が悪いため、網面を通過する泡が多く、網面に付着した泡量は７０％を下回っていた。
以上の結果から、泡性能が重要なエアゾール用発泡性洗剤組成物においては、本発明洗剤組成物の有用性は明らかである。
【産業上の利用可能性】
【００２２】
本発明のアフタードローを抑えたエアゾール用発泡性洗剤組成物は、洗浄力および発泡力が高く、さらにアフタードローを抑えているため、網戸やエアコンフィルター、窓ガラス、換気扇、トイレ、浴槽、自動車等の洗浄に好適に用いられるほか、泡状にして有効成分を付着させるような製剤、例えば除菌剤、虫除け剤等の分野にも利用できる可能性がある。